(57)【特許請求の範囲】
【請求項１】
外形小魚形状のルアー本体の腹部位内部には長手方向に走るウエイト移動室が形成されていて該ウエイト移動室を長手方向に向かって往復転動する球状又は円柱状の可動ウエイト体が内蔵されており、当該ルアー本体の尾部位内部には第一ウエイト体が固定されていると共に当該ルアー本体の頭部位内部には第二ウエイト体が固定されている重心移動式ルアーであって、前記ウエイト移動室底面を縦断面山型状の連続した突起形状に形成して前記可動ウエイト体が前記連続する突起状底面を該各突起と衝突を繰り返しながら往復転動して前記可動ウエイト体と前記各突起とによる連続した衝突音を発生させ、前記第一ウエイト体と前記第二ウエイト体との各重量は前記可動ウエイト体が前記ウエイト移動室の頭部位側位置に転動して位置するときにルアー全体の重心がルアー本体の中央より尾部位側に集中するように調節されていることを特徴とする重心移動式ルアー。
【請求項２】
縦断面山型状の連続した突起形状が連続した凹凸形状である請求項１記載の重心移動式ルアー。
【発明の詳細な説明】
【０００１】
【発明の属する技術分野】
本発明は、重心移動式ルアーに関するものである。
【０００２】
【従来の技術】
周知の通り、ルアーフィッシングに使用されるルアーには、外形小魚形状のルアー本体の腹部位内部に長手方向に走るウエイト移動室が形成されていて該ウエイト移動室を往復転動する球状の可動ウエイト体が内蔵されている重心移動式ルアーがある。
【０００３】
特開２０００−２３６７７９号公報には、ルアー本体の内部に前後方向に移動可能な錘を有し、後端部側を前方へ向けて投げられると、錘が慣性によって前端部側から後端部側へ移動し、着水すると錘が前端部側へ戻って保持されるように構成した重心移動式ルアーにおいて、前記錘が前後方向に移動可能に収容された錘移動空間を形成する密閉された筒状のケースを有し、該ケース内の前端部側で前記錘を保持するように構成した錘収容カプセルが、前記ルアー本体の内部に設けられているものが開示されている。
【０００４】
また、実用新案登録第２５７８１９３号公報には、ルアーボディの先端部に付設した潜水板と上記ルアーボディに内蔵されたバランスウェイトとを備えたクランクベイトルアーにおいて、上記バランスウェイトはガイド上を転動することにより、ルアーボディの最前部まで移動し得るように長手方向に沿って移動可能に構成され、上記ガイドの先端部にポケットを設け、このポケット内に上記バランスウェイトを保持し得るようにし、ルアーボディの先端部から突出した上記潜水板に釣糸が結び付けられる重心移動式ルアーが開示されている。
【０００５】
前出公報に見られるような従来の重心移動式ルアーは、キャスティング時には可動ウエイト体がウエイト移動室の後端部側に移動してルアー全体の重心がキャスティングに最適なルアー本体後部に集中し、泳動時には可動ウエイト体がウエイト移動室の前端部側に移動すると共に該可動ウエイト体が該ウエイト移動室の前端部に設けられた保持部に保持され、ルアー全体の重心が泳動に最適なルアー本体前部に集中するものである。
【０００６】
【発明が解決しようとする課題】
ところで、ルアーにおける集魚効果を高める要因として泳動時における該ルアーの動きがあるが、前出公報に見られるような従来の重心移動式ルアーは、泳動時において可動ウエイト体がウエイト移動室の前端部に設けられた保持部に保持されるため、該ルアーの泳動バランスは安定するが、該可動ウエイト体のウエイト移動室における移動が規制され、ルアー全体の重心がルアー本体前部に固定されるので、釣竿及びリールの操作によって意図的に魚が興味を引く変則的な動きをさせることは困難であった。
【０００７】
また、ルアーにおける集魚効果を高める他の要因として該ルアーに生じる音や振動があるが、前出公報に見られるような従来の重心移動式ルアーにおいては、可動ウエイト体がウエイト移動室内をスムーズに転動できるように該ウエイト移動室底面が平滑に形成されているため、可動ウエイト体はウエイト移動室の平滑な底面を滑るように転動し、該可動ウエイト体が該ウエイト移動室底面を転動するだけでは当該ルアーから音や振動が発生することはなかった。
【０００８】
そこで、本発明は、釣竿及びリールの操作によって意図的に魚が興味を引く変則的な動きをさせることができ、かつ、可動ウエイト体がウエイト移動室内を往復転動するだけで音や振動が発生する重心移動式ルアーを得ることを技術的課題として、その具現化をはかるべく研究・実験を重ねた結果、外形小魚形状のルアー本体の腹部位内部に長手方向に走るウエイト移動室が形成されていて該ウエイト移動室を長手方向に向かって往復転動する球状又は円柱状の可動ウエイト体が内蔵されている重心移動式ルアーにおいて、ルアー本体の尾部位内部に固定された第一ウエイト体と該ルアー本体の頭部位内部に固定された第二ウエイト体の各重量を前記可動ウエイト体が前記ウエイト移動室の頭部位側位置に位置するときにルアー全体の重心がルアー本体の中央より尾部位側に集中するように調節すると共に、前記ウエイト移動室底面を連続した凹凸形状に形成すればよいという刮目すべき知見を得、前記技術的課題を達成したものである。
【０００９】
【課題を解決するための手段】
前記技術的課題は、次の通りの本発明によって解決できる。
【００１０】
即ち、本発明に係る重心移動式ルアーは、外形小魚形状のルアー本体の腹部位内部には長手方向に走るウエイト移動室が形成されていて該ウエイト移動室を長手方向に向かって往復転動する球状又は円柱状の可動ウエイト体が内蔵されており、当該ルアー本体の尾部位内部には第一ウエイト体が固定されていると共に当該ルアー本体の頭部位内部には第二ウエイト体が固定されている重心移動式ルアーであって、前記ウエイト移動室底面を縦断面山型状の連続した突起形状に形成して前記可動ウエイト体が前記連続する突起状底面を該各突起と衝突を繰り返しながら往復転動して前記可動ウエイト体と前記各突起とによる連続した衝突音を発生させ、前記第一ウエイト体と前記第二ウエイト体との各重量は前記可動ウエイト体が前記ウエイト移動室の頭部位側位置に転動して位置するときにルアー全体の重心がルアー本体の中央より尾部位側に集中するように調節されているものである。
【００１１】
また、本発明は、前記重心移動敷居ルアーにおいて、縦断面山型状の連続した突起形状が連続した凹凸形状に形成されているものである。
【００１２】
【発明の実施の形態】
以下、本発明の実施の形態を図面に基づき説明する。
【００１３】
実施の形態１．
【００１４】
図１は本実施の形態に係る重心移動式ルアーの内部構造を示した一部切欠き側面図であり、図２は図１に示す重心移動式ルアーのＡ−Ａ端面図であり、これらの図において、１は、合成樹脂等によって小魚に似せた外形に形成された内部略中空状のルアー本体２と、該ルアー本体２中央より頭部位側の腹部位底部から下方へ突設されたフロントフック３を係止するフックハンガー４と、該ルアー本体２の尾部位から下方へ突設されたリアフック５を係止するフックハンガー６と、該ルアー本体２の頭部位から前方へ突設された釣糸が結び着けられるリング７とから構成されている水面付近を泳動するトップウォーター型の重心移動式ルアー（以下、単に「ルアー」という。）である。
【００１５】
前記ルアー本体２の内部には、尾部位側内部を縦リブ８により仕切って該尾部位にウエイト固定室９が形成されており、前記フックハンガー４が位置する腹部位底部内面から背部位上部内面に向かって走る尾部位側に凹状湾曲した中央縦リブ１０を架設すると共に、該中央縦リブ１０の中程位置から前記縦リブ８上端近傍に向かって走る中央横リブ１３を横設して形成された腹部位側の中空部分を該中空部分の尾部位側に立設された壁部により仕切って尾部位側の小空室１４と頭部位側のウエイト移動室１５とが形成されており、頭部位底部内面の一部を断面逆Ｕ字状リブ１１により仕切ってウエイト固定室１２が形成されている。
【００１６】
前記ウエイト移動室１５内には、１個の球状大径可動ウエイト体１６と２個の球状小径可動ウエイト体１７，１７が内蔵されており、ウエイト移動室１５の底面１８は該各可動ウエイト体１６，１７，１７が転動する連続した縦断面山型形状に形成されている。また、ウエイト移動室１５の両側面には、該ウエイト移動室１５の長手方向に向かって凸状の左・右横リブ１９，２０が、前記大径可動ウエイト体１６が通過できる間隙を設けて対向状に突設されている（図２参照）。そして、該右横リブ１９と該左横リブ２０によって各可動ウエイト体１６，１７，１７の短手方向の動きが規制されている。
【００１７】
なお、ウエイト移動室１５に内蔵される各可動ウエイト体１６，１７，１７は、該ウエイト移動室１５内において大径可動ウエイト体１６の前後に小径可動ウエイト体１７，１７が位置するように並べられている。
【００１８】
また、前記ウエイト固定室９には、１個の球状大径第一ウエイト体２１と１個の球状小径第一ウエイト体２２が固定されており、前記ウエイト固定室１２には、１個の球状小径第二ウエイト体２３が固定されている。
【００１９】
なお、前記第一ウエイト体２１，２２と前記第二ウエイト体２３の各重量は、ウエイト移動室１５に内蔵された３つの可動ウエイト体１６，１７，１７が該ウエイト移動室１５の前端部（頭部位側位置）に位置するときに、ルアー１全体の重心がルアー本体２の中央より僅かに尾部位側に集中するように調節されている。
【００２０】
次に、動作について説明する。
【００２１】
図３は図１に示す重心移動式ルアーのキャスティング時の状態を示した説明側面図であり、図４は図１に示す重心移動式ルアーの浮遊時及び泳動時の状態を示した説明側面図であり、図５は図１に示す重心移動式ルアーのリングに結び着けられた釣糸を釣竿とリールの操作によって連続的に引っ張った際のルアーの泳動状態を示した説明平面図であり、図６は図１に示す重心移動式ルアーが頭部位を前方に倒した状態を示した説明図であり、これらの図において、フロントフック及びリアフックは省略されていると共に、ウエイト移動室が透視されており、図１及び図２と同一符号は同一又は相当部分を示している。
【００２２】
本実施の形態に係る重心移動式ルアー１をキャスティングすると、図３に示すように、ウエイト移動室１５に内蔵された各可動ウエイト体１６，１７，１７が一体となって該各可動ウエイト体１６，１７，１７に働く慣性力によりウエイト移動室１５の後端部に移動し、ルアー１全体の重心がルアー本体２の尾部位に集中するため、該ルアー１は飛行方向（矢印Ｘ方向）に対して尾部位を先頭に向けた姿勢を保って飛行し、飛行中に大きな空気抵抗を受けないので、該ルアー１を遠投することができる。
【００２３】
そして、キャスティングされたルアー１は、尾部位を下方に向けて着水するので、着水後においても各可動ウエイト体１６，１７，１７はウエイト移動室１５の後端部に止まり、ルアー１全体の重心がルアー本体２の尾部位に集中するため、ルアー１は頭部位を上方に向けて水面まで浮上した後、図４の（ａ）に示すように、水面上に頭部位を突出させた状態で水面に対して略垂直な姿勢で浮遊する。
【００２４】
次に、釣竿及びリールの操作によってルアー１のリング７に結び着けられた釣糸２４を引っ張ると、図４の（ｂ）に示すように、水面に対して略垂直な姿勢で浮遊していたルアー１は、水面上に突出させた頭部位を勢いよく前方に倒し、該頭部位によって水面を叩いて水しぶきを上げながら水面に対して略平行な傾斜姿勢になる。この時、ウエイト移動室１５の後端部に位置していた各可動ウエイト体１６，１７，１７が一体となって該ウエイト移動室１５の底面１８に形成された縦断面山型状の各突起と衝突を繰り返しながら該底面１８を転動して該ウエイト移動室１５の前端部に移動するため、ルアー１から連続した衝突音が発生すると共に、ルアー本体２が小刻みに振動する。
【００２５】
さらに、釣竿及びリールの操作によって釣糸２４を連続的に引っ張り続けると、ルアー１は水面に対して略平行な傾斜姿勢を保ち続け、各可動ウエイト体１６，１７，１７はウエイト移動室１５の前端部に止まり、ルアー１全体の重心がルアー本体２の中央より僅かに尾部位側に集中するため、図５に示すように、該ルアー１は頭部位を左右方向に振りながら水面上を滑るように蛇行し、あたかも小魚が逃げまどうかのように水面付近を泳動する。この時、各可動ウエイト体１６，１７，１７はウエイト移動室１５の前端部において当該ルアー１の泳動に合わせて僅かに往復転動し、該各可動ウエイト体１６，１７，１７が該ウエイト移動室１５の底面１８に形成された縦断面山型状の突起と衝突するため、ルアー１から衝突音が発生すると共に、ルアー本体２が小刻みに振動する。
【００２６】
次に、釣竿及びリールの操作によって釣糸２４を緩めると、図４の（ｃ）に示すように、ルアー１は傾斜姿勢を一定時間保持するが、ルアー１全体の重心はルアー本体２中央より僅かに尾部位側に集中しているため、ルアー１は徐々に後方へ傾斜する。この時、先ず、ウエイト移動室１５の前端部に位置していた各可動ウエイト体１６，１７，１７の内の大径可動ウエイト体１６と該大径可動ウエイト体１６よりもルアー本体２の尾部位側に位置する小径可動ウエイト体１７とが同時に転動を開始し、続いて、該大径可動ウエイト体１６よりもルアー本体２の頭部位側に位置する小径可動ウエイト体１７が他の可動ウエイト体１６，１７に遅れて転動を開始する。よって、先に転動を開始した大径可動ウエイト体１６及び小径可動ウエイト体１７がウエイト移動室１５の底面１８に形成された各突起と衝突を繰り返しながら該底面１８を転動して該ウエイト移動室１５の後端部に到達した後においても、遅れて転動を開始した小径可動ウエイト体１７がウエイト移動室１５の底面１８に形成された各突起と衝突を繰り返しながら該底面１８を転動するため、長時間に渡ってルアー１から連続した衝突音が発生すると共に、ルアー本体２が小刻みに振動する。そして、各可動ウエイト体１６，１７，１７の移動に伴ってルアー１全体の重心がルアー本体２の尾部位に集中すると、当該ルアー１は再び水面上に頭部位を突出させた状態で水面に対して略垂直な姿勢となり浮遊する（図４の（ａ）参照）。
【００２７】
また、釣竿及びリールの操作によって釣糸２４を断続的に引っ張ると、ルアー１は頭部位を前後に振ってお辞儀し、あたかも弱った小魚が水面でもがいているかのように泳動する。この時、各可動ウエイト体１６，１７，１７はウエイト移動室１５の底面１８に形成された縦断面山型状の各突起と衝突を繰り返しながら該底面１８を往復転動するため、ルアー１から連続した衝突音が発生すると共に、ルアー本体２が小刻みに振動する。
【００２８】
なお、釣竿及びリールの操作によって釣糸２４を引っ張る力を調節することにより、図６に示すように、ルアー１が頭部位を前方に倒す角度θを意図的に調節することができ、例えば、釣竿及びリールの操作によって釣糸２４を弱い力で引っ張ると、水面に対して略垂直な姿勢で浮遊するルアー１は（図中、実線にて示す。）、該ルアー１の頭部位を僅かな角度θ1 だけ前方に倒す（図中、一点鎖線にて示す。）。この時、ウエイト移動室１５の後端部に位置していた各可動ウエイト体１６，１７，１７が該ウエイト移動室１５の先端部側に僅かに移動し、ルアー１全体の重心もルアー本体２の頭部位側に僅かに移動するため、ルアー１は一時的に頭部位を小さく左右方向に振って泳動する。
【００２９】
また、釣竿及びリールの操作によって釣糸２４を前記弱い力よりも強い力で引っ張ると、水面に対して略垂直な姿勢で浮遊するルアー１は、該ルアー１の頭部位を前記角度θ1 よりも大きな角度θ2 だけ前方に倒す（図中、二点鎖線にて示す。）。この時、ウエイト移動室１５の後端部に位置していた各可動ウエイト体１６，１７，１７が前記釣糸２４を弱い力で引っ張ったときに比べて該ウエイト移動室１５の先端部側に大きく移動し、ルアー１全体の重心もルアー本体２の頭部位側に大きく移動するため、ルアー１は一時的に頭部位を大きく左右方向に振って泳動する。
【００３０】
さらに、釣竿及びリールの操作によって釣糸２４を一定以上の強い力で引っ張ると、水面に対して略垂直な姿勢で浮遊するルアー１は、該ルアー１の頭部位を最大角度θMAX だけ前方に倒し、前記水面に対して略平行な傾斜姿勢となる（図中、点線にて示す。）。この時、ウエイト移動室１５の後端部に位置していた各可動ウエイト体１６，１７，１７が該ウエイト移動室１５の先端部に移動し、ルアー１全体の重心もルアー本体２の中央より僅かに尾部位側に移動するため、ルアー１は一時的に頭部位を最大限左右方向に振って泳動する（図５参照）。
【００３１】
本実施の形態によれば、該ウエイト移動室１５に内蔵された３つの可動ウエイト体１６，１７，１７をウエイト移動室１５の特定の位置に保持させることなく自由に往復転動できるようにすると共に、該各可動ウエイト体１６，１７，１７が該ウエイト移動室１５の前端部に位置するときに、ルアー１全体の重心がルアー本体２の中央より尾部位側に集中するように第一ウエイト体２１，２２と第二ウエイト体２３の各重量を調節したので、釣竿及びリールの操作によって釣糸２４を引っ張ることにより各可動ウエイト体１６，１７，１７をウエイト移動室１５の前端部側に移動させるこができ、釣竿及びリールの操作によって釣糸２４を緩めることにより各可動ウエイト体１６，１７，１７をウエイト移動室１５の後端部側に移動させるこができるため、釣竿及びリールの操作によってウエイト移動室１５における各可動ウエイト体１６，１７，１７の位置を調節でき、ルアー１全体の重心を意図的に移動させることができるので、ルアー１に変則的な動きを意図的にさせることができる。
【００３２】
また、本実施の形態によれば、ウエイト移動室１５の底面１８を連続した縦断面山型形状に形成したので、ウエイト移動室１５に内蔵された各可動ウエイト体１６，１７，１７が該ウエイト移動室１５の底面１８を往復転動する際に、該各可動ウエイト体１６，１７，１７が該底面１８に形成された縦断面山型状の各突起と衝突を繰り返すため、ルアー１から連続した衝突音や振動が発生し、集魚効果を高めることができる。
【００３３】
なお、本実施の形態に係るルアー１においてはウエイト移動室１５に内蔵される３つの可動ウエイト体１６，１７，１７に球状ウエイト体を用いたが、ウエイト移動室１５の底面１８を転動できる形状のものであればよく、例えば、円柱状ウエイト体を用いてもよい。但し、円柱状ウエイト体をウエイト移動室１５に収める際には、該円柱状ウエイト体の周壁が該ウエイト移動室１５の底面１８に当接するように収める必要がある。また、可動ウエイト体、第一ウエイト体及び第二ウエイト体の各個数を変更してもよい。
【００３４】
また、フロントフック３及びリヤフック５を環状係止具（図示せず。）を介してフックハンガー４，６に係止してもよい。
【００３５】
実施の形態２．
【００３６】
図７は本実施の形態に係る重心移動式ルアーの内部構造を示した一部切欠き側面図であり、この図において、図１〜図６と同一符号は同一又は相当部分を示しており、２５は、合成樹脂等によって小魚に似せた外形に形成された内部略中空状のルアー本体２と、該ルアー本体２の頭部位底部から前方に傾斜した潜水板（リップ）２６と、該ルアー本体２中央の腹部位底部から下方へ突設されたフロントフック３を係止するフックハンガー４と、該ルアー本体２の尾部位から下方へ突設されたリアフック５を係止するフックハンガー６と、該ルアー本体２の頭部位から前方へ突設された釣糸が結び着けられるリング７とから構成されている水中を潜水泳動するリップ付きプラグの重心移動式ルアー（以下、単に「ルアー」という。）である。
【００３７】
前記ルアー本体２の内部は、尾部位側内部を縦リブ８により仕切って該尾部位にウエイト固定室９が形成されており、該縦リブ８上端部から腹部位底部内面と一定間隔を保ってルアー本体２中央に向かって走る中央横リブ１３を横設すると共に、該中央横リブ１３の前端からフックハンガー４が位置する腹部位底部内面に中央縦リブ２７を垂設して形成された腹部位側の中空部分にウエイト移動室１５が形成されており、該ウエイト移動室１５の頭部位側に位置する頭部位底部内面の一部を断面逆Ｕ字状リブ２８により仕切ってウエイト固定室２９が形成されている。
【００３８】
前記ウエイト移動室１５には、２個の球状小径可動ウエイト体１７，１７が内蔵されており、ウエイト移動室１５の底面１８は該各可動ウエイト体１７，１７が転動する連続した縦断面山型形状に形成されている。また、ウエイト移動室１５の両側面には、該ウエイト移動室１５の長手方向に向かって凸状の左・右横リブ１９，２０が、前記各可動ウエイト体１７，１７が通過できる間隙を設けて対向状に突設されている（図２参照）。そして、該右横リブ１９と該左横リブ２０によって各可動ウエイト体１７，１７の短手方向の動きが規制されている。
【００３９】
また、前記ウエイト固定室９には、１個の球状大径第一ウエイト体２１が固定されており、前記ウエイト固定室２９には、１個の球状小径第二ウエイト体２３が固定されている。
【００４０】
なお、前記第一ウエイト体２１と前記第二ウエイト体２３の各重量は、ウエイト移動室１５に内蔵された２個の可動ウエイト体１７，１７が該ウエイト移動室１５の前端部（頭部位側位置）に位置するときに、ルアー２５全体の重心がルアー本体２中央より僅かに尾部位側に集中するように調節されている。
【００４１】
次に、動作について説明する。
【００４２】
図８は図７に示す重心移動式ルアーのキャスティング時の状態を示した説明側面図であり、図９は図７に示す重心移動式ルアーの浮遊時及び泳動時の状態を示した説明側面図であり、これらの図において、フロントフック及びリアフックは省略されていると共に、ウエイト移動室が透視されており、図１〜図７と同一符号は同一又は相当部分を示している。
【００４３】
本実施の形態に係る重心移動式ルアー２５をキャスティングすると、図８に示すように、前記実施の形態１に係るルアー１と同様にウエイト移動室１５に内蔵された各可動ウエイト体１７，１７が一体となって該各可動ウエイト体１７，１７に働く慣性力により該ウエイト移動室１５の後端部に移動するため、該ルアー２５は飛行方向（矢印Ｙ方向）に対して尾部位を先頭に向けた姿勢を保って飛行するので、該ルアー２５を遠投することができる。
【００４４】
そして、キャスティングされたルアー２５は、尾部位を下方に向けて着水するので、着水後においても各可動ウエイト体１７，１７はウエイト移動室１５の後端部に位置し、ルアー２５全体の重心がルアー本体２の尾部位に集中するため、ルアー２５は頭部位を上方に向けて水面まで浮上した後、図９の（ａ）に示すように、潜水板２６を水面下に位置させた状態で後方に傾斜した姿勢で浮遊する。
【００４５】
次に、釣竿及びリールの操作によってルアー２５のリング７に結び着けられた釣糸２４を引っ張ると、図９の（ｂ）に示すように、後方に傾斜した姿勢で浮遊していたルアー２５は、潜水板２６に水の抵抗（矢印Ｚ）を受けて頭部位を前方に倒して前方に傾斜した姿勢になる。この時、ウエイト移動室１５の後端部に位置していた各可動ウエイト体１７，１７が一体となってウエイト移動室１５の底面１８に形成された縦断面山型状の各突起と衝突を繰り返しながら該底面１８を転動して該ウエイト移動室１５の前端部に移動するため、ルアー２５から連続した衝突音が発生すると共に、ルアー本体２が小刻みに振動する。
【００４６】
さらに、釣竿及びリールの操作によって釣糸２４を連続的に引っ張り続けると、ルアー２５は、潜水板２６に水の抵抗を受け続けて前方に傾斜した姿勢を保持するので、各可動ウエイト体１７，１７はウエイト移動室１５の前端部に止まり、ルアー２５全体の重心がルアー本体２中央より僅かに尾部位側に集中するため、該ルアー２５は頭部位と尾部位を左右方向に振りながら潜水し、あたかも小魚が逃げまどうかのように水中を泳動する。この時、各可動ウエイト体１７，１７はウエイト移動室１５の前端部において該ルアー２５の泳動に合わせて僅かに往復転動し、該各可動ウエイト体１７，１７が該ウエイト移動室底面１８に形成された縦断面山型状の突起と衝突するため、ルアー２５から衝突音が発生すると共に、ルアー本体２が小刻みに振動する。
【００４７】
次に、釣竿及びリールの操作によって釣糸２４を緩めると、図９の（ｃ）に示すように、ルアー２５の潜水板２６に働いていた水の抵抗がなくなると共に、ルアー２５全体の重心がルアー本体２中央より僅かに尾部位側に集中しているため、該ルアー２５は徐々に後方に傾斜すると共に浮上する。この時、ウエイト移動室１５の前端部に位置していた各可動ウエイト体１７，１７が一体となって該ウエイト移動室１５の底面１８に形成された縦断面山型状の各突起と衝突を繰り返しながら該底面１８を転動して該ウエイト移動室１５の後端部に移動するため、ルアー２５から連続した衝突音が発生すると共に、ルアー本体２が小刻みに振動する。そして、各可動ウエイト体１７，１７の移動に伴ってルアー２５全体の重心がルアー本体２の後端部に集中するため、当該ルアー２５は再び後方に傾斜した姿勢となって浮遊する（図９の（ａ）参照）。
【００４８】
また、釣竿及びリールの操作によって釣糸２４を断続的に引っ張ると、ルアー２５は後方に傾斜した姿勢と前方に傾斜した姿勢を交互に繰り返し、頭部位を上下に振ってお辞儀するため、あたかも弱った小魚が水中でもがいているかのように泳動する。この時、各可動ウエイト体１７，１７は一体となってウエイト移動室１５の該ウエイト移動室底面１８に形成された縦断面山型状の各突起と衝突を繰り返しながら該底面１８を往復転動するため、ルアー２５から連続した衝突音が発生すると共に、ルアー本体２が小刻みに振動する。
【００４９】
なお、本実施の形態に係るリップ付きプラグのルアー２５は、該ルアー２５全体の比重が水の比重よりも軽いフローティングタイプのものであるが、ルアー全体の比重が水の比重よりも重いシンキングタイプのもの、又は、ルアー全体の比重が水の比重と同じであるサスペンドタイプのものであってもよい。
【００５０】
本実施の形態においても、前記実施の形態１と同様の作用・効果を奏することができる。
【００５１】
実施の形態３．
【００５２】
本実施の形態は前記実施の形態１及び２の変形例である。図１０はウエイト移動室の底面の変形例を示した断面図であり、図１０の（ａ）には縦断面山型状の突起が等間隔毎に連続した凹凸形状に形成されたウエイト移動室の底面が図示されており、図１０の（ｂ）には連続した縦断面三角形状に形成されたウエイト移動室の底面が図示されており、図１０の（ｃ）には縦断面三角状の突起が等間隔毎に連続した凹凸形状に形成されたウエイト移動室の底面が図示されており、図１０の（ｄ）には連続した縦断面のこぎり刃形状に形成されたウエイト移動室の底面が図示されており、図１０の（ｅ）には縦断面のこぎり刃状の突起が等間隔毎に連続した凹凸形状に形成されたウエイト移動室の底面が図示されており、図１０の（ｆ）には縦断面矩形状の突起が等間隔毎に連続した凹凸形状に形成されたウエイト移動室の底面が図示されており、図１０の（ｇ）には連続した縦断面波型形状に形成されたウエイト移動室の底面が図示されている。
【００５３】
本実施の形態における変形例においても、前記実施の形態１及び２と同様の作用・効果を奏することができる。
【００５４】
【発明の効果】
本発明によれば、各可動ウエイト体がウエイト移動室の前端部に位置するときに、ルアー全体の重心がルアー本体の中央より尾部位側に集中するように第一ウエイト体と第二ウエイト体の各重量を調節したので、釣竿及びリールの操作によって意図的にルアーに変則的な動作をさせることができ、魚の興味を該ルアーに引きつけることができるので、集魚効果を高めることができる。
【００５５】
また、重心移動式ルアーに内蔵された球状又は円柱状の可動ウエイト体が転動するウエイト移動室の底面を連続した凹凸形状に形成したので、釣竿又はリールの操作によってルアーが姿勢を変える毎に可動ウエイト体がウエイト移動室の底面に形成された各突起と衝突を繰り返しながら該底面を転動するため、ルアーから連続した衝突音が生じると共に、該ルアー本体が小刻みに振動し、魚の興味を該ルアーに引きつけることができるので、集魚効果を高めることができる。
【００５６】
従って、本発明の産業上利用性は非常に高いといえる。
【図面の簡単な説明】
【図１】実施の形態１に係る重心移動式ルアーの内部構造を示した一部切欠き側面図である。
【図２】図１に示す重心移動式ルアーのＡ−Ａ端面図である。
【図３】図１に示す重心移動式ルアーのキャスティング時の状態を示した説明側面図である。
【図４】図１に示す重心移動式ルアーの浮遊時及び泳動時の状態を示した説明側面図である。
【図５】図１に示す重心移動式ルアーに結び着けられた釣糸を釣竿とリールの操作によって連続的に引っ張った際のルアーの泳動状態を示した説明平面図である。
【図６】図１に示す重心移動式ルアーが頭部位を前方に倒した状態を示した説明図である。
【図７】実施の形態２に係る重心移動式ルアーの内部構造を示した一部切欠き側面図である。
【図８】図６に示す重心移動式ルアーのキャスティング時の状態を示した説明側面図である。
【図９】図６に示す重心移動式ルアーの浮遊時及び泳動時の状態を示した説明側面図である。
【図１０】ウエイト移動室底面の変形例を示した断面図である。
【符号の説明】
１，２５  重心移動式ルアー
２  ルアー本体
３  フロントフック
４，６  フックハンガー
５  リアフック
７  リング
８  縦リブ
９，１２，２９  ウエイト固定室
１０，２７  中央縦リブ
１１  断面略ｍ字状リブ
１３  中央横リブ
１４  空室
１５  ウエイト移動室
１６，２１  大径ウエイト体
１７，２２，２３  小径ウエイト体
１８  底面
１９  右横リブ
２０  左横リブ
２４  釣糸
２６  潜水板
２８  断面逆Ｕ字状リブ
【図１】
0004636398.tif 000002
【図２】
0004636398.tif 000003
【図３】
0004636398.tif 000004
【図４】
0004636398.tif 000005
【図５】
0004636398.tif 000006
【図６】
0004636398.tif 000007
【図７】
0004636398.tif 000008
【図８】
0004636398.tif 000009
【図９】
0004636398.tif 000010
【図１０】
0004636398.tif 000011